(57)【要約】【課題】発熱体または冷却体の交換作業が不要であるとともに経済性に優れた冷温具および冷温具付飲料容器を提供する。【解決手段】冷温具付飲料容器１００は、冷温具１１０と飲料容器１２０とを備えている。冷温具１００は、筒体の両端部にそれぞれ容器接触部１１１および肌当て部１１２が形成されている。容器接触部１１１は、飲料容器１２０の側面部１２２に対応する曲面形状に形成されている。肌当て部１１２は、ユーザの目の周囲の凹凸形状に沿った環状の曲面形状に形成されている。飲料容器１２０は、飲料Ｄを収容する容器であり、樹脂材を有底筒状に形成して構成されている。飲料容器１２０の側面部１２２には、冷温具１１０を着脱自在に収容する凹状に凹んだ収容部１２４と、ユーザの目の周囲に当てられる曲面形状に形成された容器側肌当て部１２５が形成されている。【選択図】  図１
2015093114.tif 000002
【特許請求の範囲】
【請求項１】
飲料を収容する飲料容器に接触する容器接触部と、
前記容器接触部に直接的または間接的に設けられて前記飲料容器内における前記飲料との間で間接的に熱交換される肌当て部とを有し、
前記肌当て部は、
顔面の一部分の形状に成形または同一部分の形状に沿って変形可能に形成されていることを特徴とする冷温具。
【請求項２】
請求項１に記載した冷温具において、
前記肌当て部は、前記容器接触部に一体的に繋がって形成されていることを特徴とする冷温具。
【請求項３】
請求項２に記載した冷温具において、
前記肌当て部は、前記容器接触部における前記飲料容器に接触する面に対して反対側に形成されていることを特徴とする冷温具。
【請求項４】
請求項１に記載した冷温具において、
前記肌当て部は、前記容器接触部に形成されていることを特徴とする冷温具。
【請求項５】
請求項１ないし請求項４のうちのいずれか１つに記載された冷温具において、
前記容器接触部は、
平板状に形成されて少なくとも前記飲料容器に接触するベース部と、
前記ベース部の縁から起立または下垂して延びる側壁部とを有して構成されており、
前記肌当て部は、
前記側壁部に設けられていることを特徴とする冷温具。
【請求項６】
請求項１に記載した冷温具において、
前記肌当て部は、前記容器接触部に対して着脱自在に形成されていることを特徴とする冷温具。
【請求項７】
請求項１ないし請求項６のうちのいずれか１つに記載された冷温具において、
前記容器接触部は、前記飲料容器の外周部に巻き付けることができる長さの帯状または環状に形成されていることを特徴とする冷温具。
【請求項８】
請求項１ないし請求項７のうちのいずれか１つに記載された冷温具において、さらに、
前記容器接触部を前記飲料容器に着脱自在に取り付けるための取付部を備えることを特徴とする冷温具。
【請求項９】
請求項８に記載した冷温具において、さらに、
前記肌当て部を前記取付部に対して可動的に支持する可動部を有することを特徴とする冷温具。
【請求項１０】
請求項１ないし請求項９のうちのいずれか１つに記載された冷温具において、さらに、
前記容器接触部は、前記飲料容器における前記飲料に浸漬される浸漬部を有することを特徴とする冷温具。
【請求項１１】
請求項１ないし請求項１０のうちのいずれか１つに記載された冷温具において、
前記肌当て部は、目の周りの形状に沿った環状に形成されていることを特徴とする冷温具。
【請求項１２】
請求項１ないし請求項１０のうちのいずれか１つに記載された冷温具において、
前記肌当て部は、鼻の外表面に沿った凹状部を有して形成されていることを特徴とする冷温具。
【請求項１３】
請求項１２に記載した冷温具において、
前記肌当て部は、前記飲料容器内における飲み口に対向する位置に配置されるように前記容器接触部に支持されていることを特徴とする冷温具。
【請求項１４】
請求項１２に記載した冷温具において、
前記肌当て部は、鼻の左右方向における右側の外表面を覆う右側カバー体と左側の外表面を覆う左側カバー体とが弾性的に互いに閉じるように構成されていることを特徴とする冷温具。
【請求項１５】
請求項１ないし請求項１４のうちのいずれか１つに記載された冷温具において、
前記容器接触部および前記肌当て部のうちの少なくとも一方は、弾性を有する固形状に形成されていることを特徴とする冷温具。
【請求項１６】
請求項１ないし請求項１５のうちのいずれか１つに記載された冷温具において、
前記肌当て部は、
人の肌に接する面に少なくとも１つ以上の突起が形成されていることを特徴とする冷温具。
【請求項１７】
飲料を収容する飲料容器と、
請求項１ないし請求項１６のうちのいずれか１つに記載の冷温具とを備えることを特徴とする冷温具付飲料容器。
【請求項１８】
請求項１７に記載された冷温具付飲料容器において、
請求項１ないし請求項５のうちのいずれか１つに記載の冷温具を有し、
前記飲料容器は、外周部の一部に前記容器接触部および前記肌当て部のうちの少なくとも一方を収容する収容部を有することを特徴とする冷温具付飲料容器。
【請求項１９】
請求項１７または請求項１８に記載した冷温具付飲料容器において、
前記飲料容器は、
外周部の一部に顔面の一部分の形状に成形または同一部分の形状に沿って変形可能に形成された容器側肌当て部を有することを特徴とする冷温具付容器。
【発明の詳細な説明】
【技術分野】
【０００１】
本発明は、目や鼻自体またはこれらの周囲などの顔面の一部に当てることによってこれらの部分を加温または冷却するための冷温具および同冷温具を備えた冷温具付飲料容器に関する。
【背景技術】
【０００２】
従来から、目の疲れや鼻炎の症状を緩和するために目や鼻自体またはこれらの周りを加温または冷却するための加温具または冷却具が提案されている。例えば、下記特許文献１には、鼻炎の症状を緩和するためにマスクの一部に発熱体を設けた加温具が開示されている。また、下記特許文献２には、鼻炎の症状を緩和するために水溶性高分子からなる含水ゲルを冷却体としてシート上に塗布した冷却具が開示されている。
【先行技術文献】
【特許文献】
【０００３】
【特許文献１】実用新案登録第３０４２９２１号公報
【特許文献２】特開２０１２−０４５１０１号公報
【０００４】
しかしながら、上記特許文献１，２にそれぞれ記載された加温具や冷却具においては、所定の発熱時間または冷却時間が経過した後は新たな発熱体または冷却体を用意して交換しなければならず、交換作業が煩雑であるとともに再使用ができず経済性が低いという問題があった。
【０００５】
本発明は上記問題に対処するためなされたもので、その目的は、発熱体または冷却体の交換作業が不要であるとともに経済性に優れた冷温具および冷温具付飲料容器を提供することにある。
【発明の概要】
【０００６】
上記目的を達成するため、本発明の特徴は、飲料を収容する飲料容器に接触する容器接触部と、容器接触部に直接的または間接的に設けられて飲料容器内における飲料との間で間接的に熱交換される肌当て部とを有し、肌当て部は、顔面の一部分の形状に成形または同一部分の形状に沿って変形可能に形成されていることにある。
【０００７】
この場合、飲料としては、例えば、清涼飲料水（水（お湯も含む）、お茶、紅茶、コーヒ、ココア、果物ジュース、野菜ジュース、炭酸飲料水、豆乳、スポーツ飲料など）、乳性飲料（牛乳など）、乳酸菌飲料、アルコール飲料（ビール、日本酒など）、および料理（スープ、味噌汁など）などがある。また、飲料容器としては、例えば、コップ、カップ、ボトル、タンブラー、グラス、缶、湯呑およびお椀などがある。また、施療部となる顔面の一部には、例えば、目、口、鼻、耳、頬、顎、および額などそれ自体またはこれらの周辺部がある。
【０００８】
このように構成した本発明の特徴によれば、冷温具は、飲料を収容する飲料容器の外周部に接触する容器接触部に設けられた肌当て部が飲料容器内の飲料によって間接的に加温または冷却されるため、この肌当て部を顔面の一部を施療部として当てることで当該箇所を加温または冷却することができる。したがって、冷温具を使用するユーザは、身の回りにある飲料容器に冷温具を接触させることによって自身の顔面における所望する個所を容易かつ繰り返して加温または冷却することができる。
【０００９】
また、本発明の他の特徴は、前記冷温具において、肌当て部は、容器接触部に一体的に繋がって形成されていることにある。
【００１０】
このように構成した本発明の他の特徴によれば、冷温具は、容器接触部と肌当て部とが一体的に形成されているため、持ち運び、携帯、保管および管理が容易となる。また、冷温具は、容器接触部を介した熱交換を効率よく行うことができる。
【００１１】
また、本発明の他の特徴は、前記冷温具において、肌当て部は、容器接触部における飲料容器に接触する面に対して反対側に形成されていることにある。
【００１２】
このように構成した本発明の他の特徴によれば、冷温具は、肌当て部が容器接触部に対して反対側に形成されているため、容器接触部を飲料容器に接触させた状態で肌当て部をユーザの肌に当てることができ、肌当て部による加温または冷却の持続時間を長時間保つことができる。また、冷温具は、肌当て部が容器接触部を介して飲料容器に接触しているため、飲料容器内の飲料による肌当て部の急激な温度変化が抑えられ、ユーザの肌を穏やかに加温または冷却することができる。
【００１３】
また、本発明の他の特徴は、前記冷温具において、肌当て部は、容器接触部に形成されていることにある。
【００１４】
このように構成した本発明の他の特徴によれば、冷温具は、肌当て部が容器接触部に形成されているため、肌当て部を飲料容器内の飲料の温度に近い温度まで迅速に加温または冷却することができる。
【００１５】
また、本発明の他の特徴は、前記冷温具において、容器接触部は、平板状に形成されて少なくとも飲料容器に接触するベース部と、ベース部の縁から起立または下垂して延びる側壁部とを有して構成されており、肌当て部は、側壁部に設けられていることにある。
【００１６】
このように構成した本発明の他の特徴によれば、冷温具は、容器接触部に平板状のベース部から側壁部が起立または下垂した状態で設けられるとともに、この側壁部に肌当て部が形成されているため、ベース部を飲料容器のコースターまたは同飲料容器の飲み口を覆う蓋として利用しながら肌当て部をユーザ側に対向した状態で配置することができる。なお、この場合、冷温具における容器接触部は、飲料容器の側壁部の一部または全部を収容するコップ状や、飲料容器の側面部の一部に対向した断面形状が略Ｌ字状に形成することができる。
【００１７】
また、本発明の他の特徴は、前記冷温具において、肌当て部は、容器接触部に対して着脱自在に形成されていることにある。
【００１８】
このように構成した本発明の他の特徴によれば、冷温具は、容器接触部に対して肌当て部が着脱自在に形成されているため、容器接触部を飲料容器に接触させた状態で肌当て部を肌に当てることができ、容器接触部と肌当て部とが一体的に形成されている場合に比べて顔面における肌当て部を当て難い部位に容易かつ正確に当てることができる。
【００１９】
また、本発明の他の特徴は、前記冷温具において、容器接触部は、飲料容器の外周部に巻き付けることができる長さの帯状または環状に形成されていることにある。
【００２０】
このように構成した本発明の他の特徴によれば、冷温具は、容器接触部が飲料容器の外周部に巻き付けることができる長さの帯状または環状に形成されているため、様々な形状の飲料容器に対して容器接触部を容易に取り付けて接触させることができる。
【００２１】
また、本発明の他の特徴は、前記冷温具において、さらに、容器接触部を飲料容器に着脱自在に取り付けるための取付部を備えることにある。
【００２２】
このように構成した本発明の他の特徴によれば、冷温具は、容器接触部を飲料容器に着脱自在に取り付けるための取付部を有しているため、ユーザは容器接触部を容易に飲料容器に対して着脱することができる。この場合、取付部は、飲料容器の開口部に引っ掛けられるフック、同開口部や外周部を挟むフック（洗濯バサミ型を含む）、磁性体からなる飲料容器に吸着する磁石、または飲料容器に粘着する粘着体などで構成することができる。
【００２３】
また、本発明の他の特徴は、前記冷温具において、さらに、肌当て部を容器接触部に対して可動的に支持する可動部を有することにある。
【００２４】
このように構成した本発明の他の特徴によれば、冷温具は、肌当て部が取付部に対して可動的に支持されているため、冷温具を飲料容器に取り付けた状態で肌当て部をユーザの施療部や飲料容器に対して所望する位置や向きに変更することができる。
【００２５】
また、本発明の他の特徴は、前記冷温具において、さらに、容器接触部は、飲料容器における飲料に浸漬される浸漬部を有することにある。
【００２６】
このように構成した本発明の他の特徴によれば、冷温具は、容器接触部が飲料容器内の飲料に浸漬される浸漬部を有しているため、肌当て部と飲料との間で熱交換を効率的に行うことができる。
【００２７】
また、本発明の他の特徴は、前記冷温具において、肌当て部は、目の周りの形状に沿った環状に形成されていることにある。
【００２８】
このように構成した本発明の他の特徴によれば、冷温具は、肌当て部が目の周りに沿った管状に形成されているため、ユーザの目の周りを効果的に加温または冷却することができる。この場合、肌当て部は、目の平面形状に沿った円状または楕円状に形成できるとともに、肌に接触させる端面を目の周囲の凹凸に対応した凹凸形状に形成することができる。
【００２９】
また、本発明の他の特徴は、前記冷温具において、肌当て部は、鼻の外表面に沿った凹状部を有して形成されていることにある。
【００３０】
このように構成した本発明の他の特徴によれば、冷温具は、肌当て部が鼻の外表面に沿った凹状に形成されているため、ユーザの鼻を効果的に加温または冷却することができる。
【００３１】
また、本発明の他の特徴は、前記冷温具において、肌当て部は、飲料容器内における飲み口に対向する位置に配置されるように容器接触部に支持されていることにある。
【００３２】
このように構成した本発明の他の特徴によれば、冷温具は、肌当て部が飲料容器の開口部上における飲み口に対向する部分に配置されているため、肌当て部が飲料容器内の飲料上に配置されて迅速に加温または冷却されるとともに、ユーザが飲料容器内の飲料を飲む際にユーザの鼻の外表面に肌当て部を当てることができる。また、冷温具は、ユーザが飲料容器内の飲料を飲む飲まないに関わらず、肌当て部を鼻の外表面に宛がうことによって肌当て部による加温または冷却に加えて飲料容器内の飲料の熱気または冷気によって鼻を加温または冷却することができる。
【００３３】
また、本発明の他の特徴は、前記冷温具において、肌当て部は、鼻の左右方向における右側の外表面を覆う右側カバー体と左側の外表面を覆う左側カバー体とが弾性的に互いに閉じるように構成されていることにある。
【００３４】
このように構成した本発明の他の特徴によれば、冷温具は、ユーザの鼻の右側の外表面を覆う右側カバー体とユーザの鼻の左側の外表面を覆う左側カバー体とが弾性体を介して互いに近接する側に力が作用した状態（つまり、付勢）で連結されている。このため、冷温具は、幅広いユーザの鼻の外表面に精度良く肌当て部を宛がうことができる。
【００３５】
また、本発明の他の特徴は、前記冷温具において、容器接触部および肌当て部のうちの少なくとも一方は、弾性を有する固形状に形成されていることにある。
【００３６】
このように構成した本発明の他の特徴によれば、冷温具は、容器接触部および／また肌当て部が弾性を有する固形状、すなわちゲル状に形成されているため、容器接触部および／または肌当て部を飲料容器および／ユーザの肌に沿って変形させて精度良く当てることができる。この場合、弾性を有する固形状の材料としては、高含水性基剤などがある。
【００３７】
また、本発明の他の特徴は、前記冷温具において、肌当て部は、人の肌に接する面に少なくとも１つ以上の突起が形成されていることにある。
【００３８】
このように構成した本発明の他の特徴によれば、冷温具は、肌当て部におけるユーザの肌に当てられる面に１つ以上の突起が形成されているため、加温効果または冷温効果に加えてマッサージ効果を付与することができる。この場合、肌当て部に形成される突起は、変形しない固体状および／または弾性変形する弾性体状に形成することができる。また、肌当て部に形成される突起は、ユーザの肌に対して点接触、線接触（ひだ状を含む）および／または面接触する形状に形成することができる。また、肌当て部に形成される突起は、複数の突起において突出量を同一に揃えて形成できるとともに互いに突出量が異なるように形成することもできる。
【００３９】
また、本発明は、冷温具の発明として実施できるばかりでなく、この冷温具を備えた冷温具付飲料容器の発明としても実施できるものである。
【００４０】
具体的には、冷温具付飲料容器は、飲料を収容する飲料容器と、請求項１ないし請求項１６のうちのいずれか１つに記載の冷温具とを備えるとよい。これによれば、冷温具付飲料容器は、上記冷温具と同様の作用効果を期待することができる。
【００４１】
この場合、前記冷温具付飲料容器において、請求項１ないし請求項５のうちのいずれか１つに記載の冷温具を有し、飲料容器は、外周部の一部に容器接触部および肌当て部のうちの少なくとも一方を収容する収容部を有するとよい。これによれば、冷温具付飲料容器は、冷温具を簡単に飲料容器に装着することができる。
【００４２】
また、これらの場合、前記冷温具付飲料容器において、飲料容器は、外周部の一部に顔面の一部分の形状に成形または同一部分の形状に沿って変形可能に形成された容器側肌当て部を有するとよい。これらによれば、冷温具付飲料容器は、冷温具に加えてユーザの顔面における施療部を加温または冷却することができる。
【図面の簡単な説明】
【００４３】
【図１】本発明の第１実施形態に係る冷温具付飲料容器の外観構成の概略を示した斜視図である。
【図２】図２（Ａ）〜（Ｃ）は、図１に示す冷温具付飲料容器の内部構成を説明するための図であり、（Ａ）は冷温具付飲料容器の正面図であり、（Ｂ）は（Ａ）に示したＡ−Ａ線から見た冷温具付飲料容器の縦断面図であり、（Ｃ）は（Ａ）に示したＢ−Ｂ線から見た冷温具付飲料容器の横断面図である。
【図３】図１に示す冷温具付飲料容器の冷温具の外観構成の概略を示した斜視図である。
【図４】（Ａ）〜（Ｃ）は第１実施形態の変形例に係る冷温具の外観構成の概略を示した斜視図である。
【図５】（Ａ），（Ｂ）は第１実施形態の他の変形例に係る冷温具の外観構成の概略を示しており、（Ａ）は冷温具の平面図であり、（Ｂ）は（Ａ）に示したＣ−Ｃ線から見た冷温具の縦断面図である。
【図６】（Ａ），（Ｂ）は第１実施形態の他の変形例に係る冷温具付飲料容器の外観構成の概略を示しており、（Ａ）は冷温具付飲料容器の斜視図であり、（Ｂ）は（Ａ）に示した飲料容器の縦断面図である。
【図７】第１実施形態の他の変形例に係る冷温具の外観構成の概略を示した斜視図である。
【図８】（Ａ）〜（Ｃ）は第１実施形態の他の変形例に係る飲料容器の構成の概略を示した縦断面図である。
【図９】（Ａ），（Ｂ）は第１実施形態の他の変形例に係る冷温具付飲料容器の構成の概略を示しており、（Ａ）は冷温具付飲料容器の縦断面図であり、（Ｂ）は（Ａ）に示した冷温具の斜視図である。
【図１０】（Ａ），（Ｂ）は第１実施形態の他の変形例に係る冷温具付飲料容器の構成の概略を示しており、（Ａ）は冷温具付飲料容器の縦断面図であり、（Ｂ）は（Ａ）に示した冷温具の斜視図である。
【図１１】（Ａ）〜（Ｃ）は、第１実施形態の他の変形例に係る冷温具付飲料容器の構成の概略を示しており、（Ａ）は冷温具付飲料容器の正面図であり、（Ｂ）は（Ａ）に示したＤ−Ｄ線から見た冷温具付飲料容器の縦断面図であり、（Ｃ）は（Ａ）に示したＥ−Ｅ線から見た冷温具付飲料容器の横断面図である。
【図１２】（Ａ），（Ｂ）は第１実施形態の他の変形例に係る冷温具付飲料容器の構成の概略を示しており、（Ａ）は冷温具付飲料容器の斜視図であり、（Ｂ）は（Ａ）に示した飲料容器の縦断面図である。
【図１３】（Ａ）〜（Ｃ）は、本発明の第２実施形態に係る冷温具の構成の概略を示しており、（Ａ）は冷温具および飲料容器の正面図であり、（Ｂ）は（Ａ）に示したＦ−Ｆ線から見た冷温具および飲料容器の縦断面図であり、（Ｃ）は（Ａ）に示したＧ−Ｇ線から見た冷温具および飲料容器の横断面図である。
【図１４】本発明の第２実施形態の変形例に係る冷温具および飲料容器の外観構成の概略を示した斜視図である。
【図１５】図１４に示した冷温具を飲料容器に取り付けた状態で示した縦断面図である。
【図１６】（Ａ），（Ｂ）は第２実施形態の変形例に係る冷温具の構成の概略を飲料容器に取り付けた状態で示した縦断面図である。
【図１７】（Ａ），（Ｂ）は、本発明の第２実施形態の他の変形例に係る冷温具の構成の概略を示しており、（Ａ）は冷温具を飲料容器に取り付けた状態で示した縦断面図であり、（Ｂ）は（Ａ）に示したＨ−Ｈ線から見た冷温具および飲料容器の横断面図である。
【図１８】（Ａ），（Ｂ）は、本発明の第２実施形態の他の変形例に係る冷温具の構成の概略を示しており、（Ａ）は冷温具を飲料容器に取り付けた状態で示した縦断面図であり、（Ｂ）は（Ａ）に示したＩ−Ｉ線から見た冷温具および飲料容器の横断面図である。
【図１９】本発明の第２実施形態の他の変形例に係る冷温具の構成の概略を飲料容器に取り付けた状態で示した縦断面図である。
【図２０】本発明の第２実施形態の他の変形例に係る冷温具の構成の概略を飲料容器に取り付けた状態で示した縦断面図である。
【図２１】本発明の第２実施形態の他の変形例に係る冷温具の構成の概略を飲料容器に取り付けた状態で示した縦断面図である。
【図２２】本発明の第２実施形態の他の変形例に係る冷温具の構成の概略を飲料容器に取り付けた状態で示した縦断面図である。
【図２３】（Ａ），（Ｂ）は、本発明の第２実施形態の他の変形例に係る冷温具の構成の概略を示しており、（Ａ）は冷温具における肌当て部が一方を向いた状態を示した断面図であり、（Ｂ）は冷温具における肌当て部が他方を向いた状態を示した断面図である。
【図２４】（Ａ），（Ｂ）は、本発明の第２実施形態の他の変形例に係る冷温具の構成の概略を示しており、（Ａ）は飲料容器に取り付けられた冷温具における肌当て部が飲料容器に接触した状態を示した縦断面図であり、（Ｂ）は冷温具における肌当て部を起こして使用する状態を示した縦断面図である。
【図２５】本発明の第２実施形態の他の変形例に係る冷温具の構成の概略を飲料容器に取り付けた状態で示した斜視図である。
【図２６】（Ａ），（Ｂ）は、本発明の第２実施形態の他の変形例に係る冷温具の構成の概略を示しており、（Ａ）は冷温具の斜視図であり、（Ｂ）は冷温具を顔面に当てた状態を示す使用状態図である。
【図２７】本発明の第２実施形態の他の変形例に係る冷温具の構成の概略を飲料容器に取り付けた状態で示した斜視図である。
【図２８】（Ａ），（Ｂ）は、本発明の第２実施形態の他の変形例に係る冷温具の構成の概略を示しており、（Ａ）は冷温具の平面図であり、（Ｂ）は冷温具を飲料容器に取り付けた状態を示す使用状態図である。
【図２９】（Ａ），（Ｂ）は、本発明の第２実施形態の他の変形例に係る冷温具の構成の概略を示しており、（Ａ）は冷温具の平面図であり、（Ｂ）は冷温具を飲料容器に取り付けた状態を示す使用状態図である。
【図３０】（Ａ），（Ｂ）は、本発明の第２実施形態の他の変形例に係る冷温具の構成の概略を示す平面図である。
【図３１】（Ａ），（Ｂ）は、本発明の第２実施形態の他の変形例に係る冷温具の構成の概略を飲料容器に取り付けた状態で示す斜視図である。
【図３２】本発明の第２実施形態の他の変形例に係る冷温具の構成の概略を飲料容器に取り付けた使用状態で示す斜視図である。
【図３３】（Ａ）〜（Ｃ）は、図３２に示した冷温具の構成の概略を示しており、（Ａ）は飲料容器に取り付けた状態の冷温具の平面図であり、（Ｂ）は（Ａ）に示したＪ−Ｊ線から見た冷温具および飲料容器の縦断面図であり、（Ｃ）は（Ｂ）に示したＫ−Ｋ線から見た冷温具および飲料容器の横断面図である。
【図３４】本発明の第２実施形態の他の変形例に係る冷温具の構成の概略を示しており、冷温具を飲料容器内に挿した状態を示す使用状態図である。
【図３５】本発明の第３実施形態に係る冷温具の外観構成の概略を飲料容器に取り付けた状態で示す斜視図である。
【図３６】（Ａ），（Ｂ）は、図３５に示す冷温具の構成および使用状態を説明するための縦断面図である。
【図３７】本発明の第３実施形態の変形例に係る冷温具の構成を示す斜視図である。
【図３８】本発明の第３実施形態の他の変形例に係る冷温具の構成を示す斜視図である。
【図３９】（Ａ），（Ｂ）は、本発明の第３実施形態の他の変形例に係る冷温具の構成の概略を示しており、（Ａ）は冷温具の平面図であり、（Ｂ）は（Ａ）に示すＬ−Ｌ線から見た冷温具の縦断面図である。
【図４０】本発明の第３実施形態の他の変形例に係る冷温具の構成を飲料容器に取り付けた状態で示す縦断面図である。
【発明を実施するための形態】
【００４４】
（第１実施形態）
以下、本発明に係る冷温具および冷温具付飲料容器の一実施形態である第１実施形態について図面を参照しながら説明する。図１は、本発明の第１実施形態に係る冷温具付飲料容器１００の外観構成の概略を示した斜視図である。また、図２（Ａ）〜（Ｃ）は、図１に示す冷温具付飲料容器１００の内部構成を説明するための図であり、（Ａ）は冷温具付飲料容器１００の正面図であり、（Ｂ）は（Ａ）に示したＡ−Ａ線から見た冷温具付飲料容器１００の縦断面図であり、（Ｃ）は（Ａ）に示したＢ−Ｂ線から見た冷温具付飲料容器１００の横断面図である。なお、本明細書において参照する各図は、本発明の理解を容易にするために一部の構成要素を誇張して表わすなど模式的に表していることがあるため、各構成要素間の寸法や比率などは異なっていることがある。この冷温具付飲料容器１００は、ユーザの目の周囲を加温または冷却するための冷温具１１０を備えた飲料容器である。
【００４５】
（冷温具付飲料容器１００の構成）
冷温具付飲料容器１００は、主として、冷温具１１０と飲料容器１２０とで構成されている。冷温具１１０は、ユーザ（図示せず）の目の周りに当てて目の周りの部分を加温または冷却するためのものであり、セラミック材（陶器、磁器、石材など）を円筒状に形成して構成されている。この場合、冷温具１１０は、ユーザの目を外側から包囲することできる大きさの内径で形成されている。本第１実施形態においては、冷温具１１０は楕円形に形成されている。
【００４６】
この冷温具１１０は、詳しくは図３に示すように、筒体の両端部にそれぞれ容器接触部１１１および肌当て部１１２が形成されている。容器接触部１１１は、後述する飲料容器１２０に接触する部分であり、環状の曲面で構成されている。また、肌当て部１１２は、ユーザの目の周囲に当てられる部分であり、容器接触部１１１と同一の環状の曲面で構成されている。すなわち、本実施形態においては、容器接触部１１１と肌当て部１１２とは冷温具１１０における同一個所にそれぞれ形成されている。これらの容器接触部１１１および肌当て部１１２を構成する環状の曲面部は、ユーザの目の周囲の凹凸形状に沿った形状に形成されている。具体的には、ユーザの目の上方および下方にそれぞれ宛がわれる部分が凹状に凹むとともに、目の右側および左側にそれぞれ宛がわれる部分が凸状に張り出して形成されている。
【００４７】
飲料容器１２０は、ユーザが飲む飲料Ｄを収容する容器であり、樹脂材を有底筒状に形成して構成されている。より具体的には、飲料容器１２０は、円板状の底部１２１の周囲に側面部１２２が筒状に起立するとともに、同側面部１２２の図示上側の端部が常時開口した飲み口としての開口部１２３が形成されている。そして、飲料容器１２０の側面部１２２の外周部における底部１２１側には収容部１２４が形成されている。
【００４８】
収容部１２４は、筒体状に形成された冷温具１１０の一方の端部に形成された容器接触部１１１および肌当て部１１２を収容する止り穴（底付き穴）で形成されている。本実施形態においては、収容部１２４は、冷温具１１０の一方の端部に形成された容器接触部１１１および肌当て部１１２が嵌合する楕円形状に形成されている。なお、この収容部１２４の内形は、冷温具１１０が出し入れ自在に収容できる形状に形成されていればよいが、飲料容器１２０を傾けたり振動を与えたりした場合に収容部１２４内の冷温具１１０にずれが生じない程度の摺動抵抗が生じる嵌め合いで形成されているとよい。
【００４９】
この収容部１２４は、飲料容器１２０の外側に開口する端部が側面部１２２から張り出して形成されて容器側肌当て部１２５を構成するとともに、飲料容器１２０の内側の閉塞した端部が飲料容器１２０の内側に張り出して形成されている。容器側肌当て部１２５は、冷温具１１０における肌当て部１１２と同様に、ユーザの目の周囲に宛がわれる部分であり、ユーザの目を包囲する楕円形状に形成されている。
【００５０】
（冷温具付飲料容器１００の作動）
次に、このように構成した冷温具付飲料容器１００の作動について説明する。まず、ユーザは、冷温具１１０と飲料容器１２０とで構成される冷温具付飲料容器１００を用意する。次いで、ユーザは、飲料容器１２０内に温められた飲料Ｄまたは冷された飲料Ｄを注ぐとともに、飲料容器１２０における収容部１２４内に冷温具１１０を挿入する。これにより、冷温具１１０は、収容部１２４の壁面を介して飲料容器１２０内に収容された飲料Ｄとの間で間接的に熱交換が行なわれて加温または冷却される。
【００５１】
この場合、飲料容器１２０は、収容部１２４が飲料容器１２０の底部１２１側に形成されているため、飲料Ｄの収容量が少ない場合でも冷温具１１０を加温または冷却することができる。また、飲料容器１２０は、収容部１２４が飲料容器１２０内に張り出して形成されているため、飲料Ｄを接触する表面積が広くなり冷温具１１０を迅速に加温または冷却することができる。なお、ユーザは、飲料容器１２０内に飲料Ｄを収容するとともに収容部１２４内に冷温具１１０を収容した状態で、飲料容器１２０を電子レンジ内や冷蔵庫内に入れて飲料Ｄを加温または冷却することもできる。
【００５２】
次に、ユーザは、顔面における目の周囲を加温または冷却する際には、冷温具１１０を飲料容器１２０の収容部１２４内から抜き出して肌当て部１１２を目の周囲に宛がう。この場合、冷温具１１０は、２つの肌当て部１１２のうち、飲料容器１２０の収容部１２４の奥側に収容された肌当て部１１２の方が収容部１２４の開口部側に露出する肌当て部１１２よりも加温または冷却されている。したがって、ユーザは、好みや必要性に応じて２つの肌当て部１１２のうちの一方を宛がうことができる。この場合、冷温具１１０における肌当て部１１２は、加温または冷却を行う目の周りの施療部の形状に沿った形状に形成されているため、効果的に加温または冷却することができる。
【００５３】
また、ユーザは、冷温具１１０を収容部１２４内に収容したままの状態で、または収容部１２４から冷温具１１０を抜き出した状態で収容部１２４の先端部に形成された容器側肌当て部１２５を施療部に宛がって当該施療部（目の周り）を加温または冷却することもできる。
【００５４】
そして、ユーザは、施療部の加温または冷却を終えた場合、または加温または冷却された冷温具１１０の温度が低下または上昇した場合には、冷温具１１０を収容部１２４内に戻す。これにより、ユーザは、再度、冷温具１１０を加温または冷却することができる。また、ユーザは、冷温具１１０を収容部１２４内に収容している間、または同収容部１２４内から抜き出して使用している間において飲料容器１２０内の飲料Ｄを飲むことができるとともに、必要に応じて飲料Ｄを補充することができる。
【００５５】
（変形例）
次に、第１実施形態における変形例について説明する。この各変形例の説明においては、上記第１実施形態と異なる部分について説明する。なお、各変形例の説明においては、上記第１実施形態と同様の部分については同じ符号を付している。
【００５６】
例えば、上記第１実施形態においては、冷温具１１０は、容器接触部１１１および肌当て部１１２を凹凸のある環状の曲面形状に形成した。しかし、容器接触部１１１は、飲料容器１２０に接触する形状に形成されていればよい。また、肌当て部１１２は、ユーザの施療部に当てることができる形状に形成されていればよい。したがって、容器接触部１１１および肌当て部１１２は、例えば、図４（Ａ）に示すように、フラットな環状に形成してもよいし、図４（Ｂ）に示すように、冷温具１１０における一方の端部をフラットな環状に形成するとともに他方の端部を凹凸のある環状の曲面状に形成することもできる。また、冷温具１１０は、例えば、図４（Ｃ）に示すように、有底筒状に形成した開口部側にのみ容器接触部１１１および肌当て部１１２を形成することもできる。この場合、冷温具１１０における閉塞された底部分の外表面には冷温具１１０を把持するための取っ手１１３を設けることができる。
【００５７】
また、冷温具１１０における肌当て部１１２は、滑らかな平面上に形成した。しかし、肌当て部１１２は、少なくとも１つ以上の突起を形成して構成することもできる。具体的には、冷温具１１０は、例えば、図５（Ａ），（Ｂ）にそれぞれ示すように、肌当て部１１２の表面に同表面から凸状に突出する複数の突起１１２ａを備えて構成することができる。この場合、突起１１２ａは、ゲルマニウムを含むセラミック材や樹脂材などで構成することができる。これにより、冷温具１１０は、加温効果または冷温効果に加えてマッサージ効果を付与することができる。この場合、突起１１２ａは、変形しない固体状および／または弾性変形する弾性体状に形成することができる。また、突起１１２ａは、ユーザの肌に対して点接触、線接触（ひだ状を含む）および／または面接触する形状に形成することができる。また、突起１１２ａは、複数の各突起１１２ａ間において突出量を同一に揃えて形成できるとともに互いに突出量が異なるように形成することもできる。また、冷温具１１０は、２つ以上の肌当て部１１２に対して互いに異なる突起１１２ａを形成することもできる。また、冷温具１１０は、突起１１２ａを肌当て部１１２とは異なる材質で構成することもできる。
【００５８】
また、冷温具１１０における容器接触部１１１および肌当て部１１２は、飲料容器１２０およびユーザの施療部に接触させることによって飲料容器１２０およびユーザの施療部の形状に応じて弾性変形する材料（例えば、シリコン材、スポンジ材、ゴム材、発泡スチロール、高含水性基剤）などで構成することもできる。また、冷温具１１０は、一方の端部を容器接触部１１１とするとともに、他方の端部を肌当て部１１２とすることもできる。
【００５９】
また、上記第１実施形態においては、冷温具１１０は、肌当て部１１２をユーザの目の周りを包囲する環状に形成した。しかし、肌当て部１１２は、ユーザの顔面における加温または冷却したい箇所に応じた形状または同箇所の形状に沿って変形するように構成されていればよい。したがって、冷温具１１０における肌当て部１１２は、例えば、図６（Ａ），（Ｂ）にそれぞれ示すように、ユーザの鼻（図示せず）の外表面形状に沿った凹状に形成することができる。この場合、飲料容器１２０に形成される収容部１２４は、冷温具１１０が出し入れ自在な形状、すなわち、冷温具１１０に対応する凹状の形状に形成されることは当然である。
【００６０】
また、この場合、冷温具１１０は、鼻を積極的に挟むように構成することもできる。例えば、図７に示すように、冷温具１１０は、鼻の右側の外表面に当てられる右側カバー体１１４ａと鼻の左側の外表面に当てられる左側カバー体１１４ｂとを有するとともに、これらの右側カバー体１１３ａと左側カバー体１１４ｂとを弾性体１１５を介して互いに近接する側に力が作用させた状態（つまり、付勢）で連結して肌当て部１１２を構成することができる。この場合、弾性体１１５は、右側カバー体１１４ａと左側カバー体１１４ｂとを互いに近接する側に付勢する弾性力を発生させる樹脂製や金属製の板バネやＣ型のリング体で構成することができる。これにより、冷温具１１０は、ユーザの鼻の外表面を精度良く挟んで加熱または冷却することができる。
【００６１】
なお、上記冷温具１１０は、弾性体１１５を省略して構成することもできる。具体的には、冷温具１１０は、右側カバー体と左側カバー体とが互いに近接して閉じるような弾性力を発揮する樹脂製または金属製の板状体で構成することができる。また、冷温具１１０は、１つの冷温具１１０に対してユーザの顔面における互いに異なる施療部に対して宛がうように互いに異なる２つ以上の肌当て部１１２を形成して構成することもできる。
【００６２】
また、上記第１実施形態においては、冷温具１１０を着脱自在に収容する収容部１２４を飲料容器１１０の側面部１２２における底部１２１側に形成した。しかし、収容部１２４は、飲料容器１２０内に収容した飲料Ｄによって冷温具１１０を加温または冷却することができる位置に形成されていればよい。したがって、収容部１２４は、例えば、図８（Ａ），（Ｂ）にそれぞれ示すように、飲料容器１２０における深さ方向の中間部または開口部１２３側に形成することができる。この場合、例えば、収容部１２４を飲料容器１２０における開口部１２３側に形成することにより、飲料容器１２０内において上部に集まり易い熱せられた飲料によって冷温具１１０を効果的に加温することができるとともに、飲料容器１２０を手に持って容器側肌当て部１２５を施療部に宛がい易くすることができる。
【００６３】
また、収容部１２４は、飲料容器１２０の側面部１２２における複数の位置に設けることができるとともに、側面部１２２に代えてまたは加えて側面部１２２以外の位置に形成することもできる。例えば、収容部１２４は、図９（Ａ）に示すように、飲料容器１２０における側面部１２２に開口した状態で冷温具１１０を底部１２１内に収容するように構成することもできる。この場合、収容部１２４内に出し入れ自在に収容される冷温具１１０は、例えば、図９（Ｂ）に示すように、収容部１２４の厚さに対応する厚さのリング状に形成することできる。この冷温具１１０は、平板リング状の２つの端面が共に容器接触部１１１および肌当て部１１２として構成されているとともに、側面部に冷温具１１０を把持するための取っ手１１３が形成されている。
【００６４】
また、収容部１２４は、例えば、図１０（Ａ）に示すように、飲料容器１２０における底部１２１に設けることもできる。この場合、冷温具１１０は、例えば、図１０（Ｂ）に示すように、飲料容器１２０の底部１２１の外径と同じ外径の円板状の底板１１６ａの中央部に筒体１１６ｂを起立した状態で形成して構成することができる。この筒体１１６ｂにおける先端部は、上記第１実施形態における容器接触部１１１および肌当て部１１２となっている。したがって、飲料容器１２０における底部１２１は、冷温具１１０の筒体１１６ｂが嵌合可能な凹状に形成されている。
【００６５】
このように、冷温具１１０が飲料容器１２０の底部１２１内に挿し込まれることにより、外観上において冷温具１１０を目立たなくすることができ、飲料容器１２０の美観を向上させることができる。なお、この冷温具１１０における底板１１６ａは、飲料容器１２０の底部１２１の外径より大きく形成してもよいし、底部１２１の外径より小さく形成してもよい。また、冷温具１１０における底板１１６ａは、円形（楕円を含む）以外の形状、例えば、方形や多角形に形成してもよいことは当然である。
【００６６】
また、上記第１実施形態においては、飲料容器１２０における収容部１２４は、飲料容器１２０内に張り出した状態で形成した。しかし、収容部１２４は、飲料容器１２０内に収容した飲料Ｄによって冷温具１１０を加温または冷却することができる位置に形成されていればよい。したがって、収容部１２４は、例えば、図８（Ｂ），（Ｃ）にそれぞれ示すように、飲料容器１２０の側面部１２２の厚さを厚くすることによって飲料容器１２０内に張り出さないように形成することもできる。これによれば、飲料容器１２０は、飲料容器１２０内の凹凸形状を解消できるため、飲料容器１２０内を洗浄し易くすることができる。
【００６７】
また、上記第１実施形態においては、飲料容器１２０における収容部１２４の外側の先端部には容器側肌当て部１２５を形成した。しかし、例えば、図１１（Ａ）〜（Ｃ）にそれぞれ示すように、飲料容器１２０は、収容部１２４における外側の端部を側面部１２２の表面と面一に形成して容器側肌当て部１２５を省略することもできる。これによれば、飲料容器１２０は、側面部１２２の出っ張りを解消して飲料容器１２０を把持し易くできるとともに、外観の美観を向上させることができる。また、この場合、図示は省略するが、収容部１２４内に収容した冷温具１１０の肌当て部１１２が側面部１２２から突出するように収容部１２４の深さまたは冷温具１１０厚さを形成することにより、ユーザは冷温具１１０を収容部１２４に収容した状態で施療部を加温または冷却することができる。
【００６８】
また、上記第１実施形態においては、冷温具付飲料容器１００は、冷温具１１０における肌当て部１１２および飲料容器１２０における容器側肌当て部１２５は、共にユーザの目の周りを施療部とした。しかし、肌当て部１１２および容器側肌当て部１２５は、顔面における互いに異なる部分を施療部とすることもできる。具体的には、例えば、冷温具１１０は、図１２に示すように、中空の円錐状に形成することができる。この場合、冷温具１１０は、円錐体における一方の端部が環状に形成されて肌当て部１１２を構成するとともに、同肌当て部１１２から錐状に小径化する外周面が容器接触部１１１を構成する。
【００６９】
また、飲料容器１２０における収容部１２４は、冷温具１１０を出し入れ可能であってユーザの鼻の外表面形状に対応した凹状に形成する。すなわち、収容部１２４は、ユーザの鼻に当てられる容器側肌当て部１２５を構成する。そして、このように構成した図１２に示した冷温具付飲料容器１００によれば、ユーザは、飲料容器１２０の収容部１２４から冷温具１１０を取り出して肌当て部１１２を目の周りに宛がって加温または冷却できるとともに、飲料容器１２０における容器側肌当て部１２５（収容部１２４）を鼻に宛がうことにより鼻を加温または冷却することができる。
【００７０】
また、上記第１実施形態においては、冷温具１１０をセラミック材で構成するとともに飲料容器１２０を樹脂材で構成した。しかし、冷温具１１０および飲料容器１２０は、上記実施形態に限定されるものではなく、セラミック材（陶器、磁器、石材を含む）、樹脂材、金属材および木材など様々な材料で構成することができる。また、冷温具１１０は、これらの材料に加えて、弾性変形可能な材料、例えば、シリコン材、ゴム材、スポンジ材および発泡スチロール材で構成することができるとともに、更には、弾性を有する固形状（すなわち、ゲル状）の材料（例えば、高含水性基剤）を用いて構成することができる。なお、冷温具１１０は、一部または全部を弾性を有する材料で構成した場合、ユーザの顔面における施療部、例えば、鼻よりも少し小さめに形成することにより、施療部への密着性および装着力を向上させることができる。また、飲料容器１２０の形状も有底円筒状に限定されるものではなく、楕円形状、方形または星形など様々な形状に形成してもよいことは当然である。
【００７１】
（第２実施形態）
（冷温具２００の構成）
次に、本発明に係る冷温具の一実施形態である第２実施形態について図面を参照しながら説明する。第２実施形態に係る冷温具２００は、図１３（Ａ）〜（Ｃ）にそれぞれ示すように、上記冷温具１１０と同様に、ユーザ（図示せず）の目の周りに当てて目の周りの部分を加温または冷却するためのものであり、有底円筒状に形成されている。この冷温具２００は、樹脂材を有底円筒状に形成した本体部２０１の底部側の外周端面に容器接触部２０２が形成されるとともに、同本体部２０１における他方の端面である環状の先端部に肌当て部２０３が形成されて構成されている。この場合、本体部２０１における底部側の外周端面は、後述する飲料容器２１０の側面部２１２の曲面に対応した曲面形状に形成されている。
【００７２】
容器接触部２０２は、本体部２０１、延いては肌当て部２０３を飲料容器２１０に間接的に接触させるための部分であり、マグネットシートによって構成されている。本第２実施形態においては、容器接触部２０２は、平面視において楕円状に形成されている。この容器接触部２０２は、本体部２０１における底部側の外周端面に接着剤によって固定的に取り付けられている。なお、本第２実施形態においては、容器接触部２０２は、本体部２０１の端面の全面に貼り付けられているが、これに限定されるものではなく、本体部２０１の端面の一部に単一（例えば、端面の縁部に沿ってリング状）または断続的（例えば、端面の縁部に沿って断続的なリング状）に貼り付けることもできる。
【００７３】
肌当て部２０３は、上記肌当て部１１２と同様に、ユーザの目の周囲に宛がわれる部分であり、本体部２０１における容器接触部２０２の反対側の表面に目の周囲を包囲する環状に形成されている。この場合、肌当て部２０３の端面は、上記肌当て部１１２と同様に、本体部２０１の軸線方向に湾曲する曲面で構成されている。より具体的には、肌当て部２０３は、ユーザの目の上方および下方にそれぞれ宛がわれる部分が凹状に凹むとともに、目の右側および左側にそれぞれ宛がわれる部分が凸状に張り出して形成されている。
【００７４】
飲料容器２１０は、ユーザが飲む飲料Ｄを収容する容器であり、磁性を有する材料、例えば、磁性を有するステンレス材を有底筒状に形成して構成されている。すなわち、本第２実施形態においては、飲料容器２１０は、ステンレス製のコップである。この飲料容器２１０は、具体的には、円板状の底部２１１の周囲に側面部２１２が筒状に起立するとともに、同側面部２１２の図示上側の端部が常時開口した飲み口としての開口部２１３が形成されている。
【００７５】
（冷温具２００の作動）
次に、このように構成した冷温具２００の作動について説明する。まず、ユーザは、冷温具２００と飲料容器２１０とをそれぞれ用意する。次いで、ユーザは、飲料容器２１０内に温められた飲料Ｄまたは冷された飲料Ｄを注いだ後、飲料容器２１０の側面部２１２における任意の位置に冷温具２００の容器接触部２０２を宛がって冷温具２００を飲料容器２１０の側面部２１２に磁力を介して貼り付ける。これにより、冷温具２００は、飲料容器２１０の側面部２１２を介して飲料容器２１０内に収容された飲料Ｄとの間で間接的に熱交換が行なわれて加温または冷却される。なお、ユーザは、飲料容器２１０内に飲料Ｄを収容するとともに飲料容器２１０の側面部２１２に冷温具２００を収容した状態で、飲料容器２１０を電子レンジ内や冷蔵庫内に入れて飲料Ｄを加温または冷却することもできる。
【００７６】
次に、ユーザは、顔面における施療部となる目の周囲を加温または冷却する際には、飲料容器２１０の側面部２１２に取り付けられている冷温具２００を外して肌当て部２０３を目の周囲に宛がう。これにより、冷温具２００は、ユーザの目の周りを加温または冷却することができる。なお、ユーザは、冷温具２００を飲料容器２１０の側面部２１２に貼り付けた状態で飲料容器２０１を把持して肌当て部２０３を施療部に宛がって当該施療部を加温または冷却することもできる。
【００７７】
そして、ユーザは、施療部の加温または冷却を終えた場合、または加温または冷却された冷温具２００の温度が低下または上昇した場合には、冷温具２００を飲料容器２１０の側面部２１２に再度貼り付ける。これにより、ユーザは、再度、冷温具２００を加温または冷却することができる。また、ユーザは、冷温具２００を飲料容器２１０の側面部２１２に貼り付けている間、または同飲料容器２１０から取り外して使用している間において飲料容器２１０内の飲料Ｄを飲むことができるとともに、必要に応じて飲料Ｄを補充することができる。
【００７８】
（変形例）
次に、第２実施形態における変形例について説明する。この各変形例の説明においては、上記第２実施形態と異なる部分について説明する。なお、各変形例の説明においては、上記第２実施形態と同様の部分については同じ符号を付している。
【００７９】
例えば、上記第２実施形態においては、冷温具２００における容器接触部２０２および肌当て部２０３は、それぞれ曲面状に形成されている。しかし、冷温具２００における容器接触部２０２および肌当て部２０３は、それぞれ飲料容器２１０およびユーザの顔面における施療部の各形状に応じた形状に形成されていればよい。したがって、冷温具２００における容器接触部２０２および肌当て部２０３は、上記第１実施形態および同第１実施形態における各種変形例と同様の形状を採用して構成することができる。また、冷温具２００における容器接触部２０２および肌当て部２０３の材料についても上記第１実施形態および同第１実施形態における各種変形例と同様の材料を採用して構成することができる。
【００８０】
また、上記第２実施形態においては、冷温具２００は、飲料容器２１０の側面部２１２に貼り付けるように構成した。しかし、冷温具２００は、飲料容器２１０における側面部２１２以外の位置に接触させるように構成することができる。例えば、冷温具２００は、図１４および図１５にそれぞれ示すように、飲料容器２１０の蓋として構成することができる。この冷温具２００は、飲料容器２１０の飲み口となる開口部２１３を覆う円盤上に形成された本体部２０１における一方（図示下方）の端面に開口部２１３に嵌合する容器接触部２０２が形成されるとともに、他方（図示上方）の端面にユーザの目の周りを包囲する筒状の肌当て部２０３が形成されている。
【００８１】
このように構成された蓋型の冷温具２００は、飲料Ｄが注がれた飲料容器２１０の蓋として使用されながら、ユーザの必要性に応じて飲料容器２１０から外されて施療部に宛がわれる。これにより、冷温具２００は、飲料容器２１０内の飲料Ｄを保温または保冷しながらユーザの施療部を加温または冷却することができる。なお、冷温具２００は、容器接触部２０２を飲料容器２１０の開口部２１３に嵌合する凸状の形状に形成したが、これに限られるものではなく、容器接触部２０２を、例えば、飲料容器２１０の上面に載置される平らな形状に形成するともできる。また、冷温具２００は、上記第１実施形態（変形例含む）および上記第２実施形態（変形例含む）を含めて図１６（Ａ）に示すように、本体部２０１内における容器接触部２０２と肌当て部２０３との間の部分に空気、金属、発泡スチロールなどからなる蓄熱層２０４を設けることにより肌当て部２０３における施療時間を持続させることができる。
【００８２】
また、冷温具２００は、例えば、図１６（Ｂ）に示すように、本体部２０１における飲料容器２１０の開口部２１３に嵌合する部分を飲料容器２１０内の飲料Ｄに浸漬される程度にまで延長した浸漬部２０５を設けることができる。これによれば、冷温具２００は、飲料容器２１０の開口部２１３上に載置されることにより浸漬部２０５が飲料容器２１０内の飲料Ｄ内に浸漬されるため、肌当て部２０３を浸漬部２０５を介してより迅速に加温または冷却することができる。なお、本変形例においては、浸漬部２０５を先端部に向かって小径化するテーパ形状に形成することにより、飲料容器２１０へ装着し易くしている。
【００８３】
また、冷温具２００は、例えば、図１７（Ａ），（Ｂ）にそれぞれ示すように、本体部２０１が飲料容器２１０の底部２１１の外径より若干大きな外径の円板状のベース部２０１ａと、飲料容器２１０の側面部２１２に対応する形状である曲面で構成されてベース部２０１ａの縁部から下垂する壁部２０１ｂとで構成することができる。この場合、本体部２０１におけるベース部２０１ａおよび壁部２０１ｂのうち、少なくともベース部２０１ａは容器接触部２０２を構成する。そして、本体部２０１における壁部２０１ｂ上には、楕円筒状の肌当て部２０３が形成されている。なお、本変形例においては、冷温具２００の壁部２０１ｂを飲料容器２１０に接触させることにより、この壁部２０１ｂを容器接触部２０２として機能させている。
【００８４】
このように構成された冷温具２００は、本体部２０１におけるベース部２０１ａが飲料容器２１０の開口部２１３上に載置されることによって壁部２０１ｂが飲料容器２１０の側面部２１２に対向配置される。これにより、冷温具２００は、少なくともベース部２０１ａを介して肌当て部２０３が加温または冷却される。したがって、ユーザは、冷温具２００を飲料容器２１０から外して使用する他、飲料容器２１０に装着したままの状態で肌当て部２０３を施療部に宛がうことができる。
【００８５】
なお、冷温具２００は、例えば、図１８（Ａ），（Ｂ）にそれぞれ示すように、壁部２０１ｂを筒状に形成することにより飲料容器２１０の側面部２１２を壁部２０１ｂによって覆うように構成することもできる。これによれば、冷温具２００は、飲料容器２１０の保温性または保冷性を向上させることができる。また、この場合においても冷温具２００の壁部２０１ｂを飲料容器２１０に接触させることにより、この壁部２０１ｂを容器接触部２０２として機能させている。
【００８６】
また、冷温具２００は、例えば、図９（Ｂ）に示すように、飲料容器２１０の底部２１１に対応する形状の平板環状に形成することができる。これによれば、冷温具２００は、飲料容器２１０の底部２１１の下に敷かれて加温または冷却される。したがって、ユーザは、飲料容器２１０を持ち上げて冷温具２００を抜き取ることにより肌当て部２０３を施療部に宛がって同部分を加温または冷却することができる。
【００８７】
また、冷温具２００は、例えば、図１９に示すように、図１７（Ａ），（Ｂ）に示す冷温具２００の天地を逆にして構成することもできる。具体的には、冷温具２００は、本体部２０１が飲料容器２１０の底部２１１の外径より若干大きな外径の円板状のベース部２０１ａと、飲料容器２１０の側面部２１２に対応する形状である曲面で構成されてベース部２０１ａの縁部から起立する壁部２０１ｂとで構成することができる。この場合、本体部２０１におけるベース部２０１ａおよび壁部２０１ｂのうち、少なくともベース部２０１ａは容器接触部２０２を構成する。そして、本体部２０１における壁部２０１ｂ上には、楕円筒状の肌当て部２０３が形成されている。なお、本変形例においては、冷温具２００の壁部２０１ｂを飲料容器２１０に接触させることにより、この壁部２０１ｂを容器接触部２０２として機能させている。
【００８８】
このように構成された冷温具２００は、本体部２０１におけるベース部２０１ａ上に飲料容器２１０の底部２１１が載置されることによって壁部２０１ｂが飲料容器２１０の側面部２１２に対向配置される。これにより、冷温具２００は、少なくともベース部２０１ａを介して肌当て部２０３が加温または冷却される。したがって、ユーザは、冷温具２００を飲料容器２１０から外して使用する他、飲料容器２１０に装着したままの状態で肌当て部２０３を施療部に宛がうことができる。
【００８９】
さらに、冷温具２００は、図２０に示すように、図１８（Ａ），（Ｂ）に示す冷温具２００の天地を逆にして構成することもできる。具体的には、冷温具２００は、壁部２０１ｂを筒状に形成することにより飲料容器２１０の側面部２１２を壁部２０１ｂによって覆うように構成することもできる。これによれば、冷温具２００は、飲料容器２１０の保温性または保冷性を向上させることができる。また、この場合においても冷温具２００の壁部２０１ｂを飲料容器２１０に接触させることにより、この壁部２０１ｂを容器接触部２０２として機能させている。
【００９０】
また、上記第２実施形態においては、冷温具２００は、磁力によって飲料容器２１０に着脱自在に取り付けるように構成した。すなわち、磁石で構成された容器接触部２０２が本発明に係る取付部に相当する。しかし、冷温具２００は、飲料容器２１０に対して着脱自在に取り付け可能に構成されていればよい。
【００９１】
したがって、本発明における取付部は、磁力以外の手法によって飲料容器２１０に取り付けるように構成することもできる。例えば、冷温具２００は、図２１に示すように、飲料容器２１０の開口部２１３に引っ掛けるためにＵ字状またはＪ字状に折り曲げられたフック２０６を本体部２０１の一部に設けて構成することができる。この場合、ユーザは、冷温具２００を飲料容器２０１の開口部２１３に引っ掛けた状態で、または取り外して施療部の加温または冷却に使用することができる。
【００９２】
また、冷温具２００は、例えば、図２２に示すように、飲料容器２１０の開口部２１３を着脱自在に挟むクリップ型（洗濯バサミ型、目玉クリップ型およびダブルクリップ型）の挟み体２０７における一方の先端部に本体部２０１を繋げて形成して構成することができる。この場合、ユーザは、冷温具２００を飲料容器２０１の開口部２１３を挟んだ状態で、または取り外して施療部の加温または冷却に使用することができる。なお、図２２に示す挟み体２０７は、２つの板状体がピン２０７ａを介して互いに回動可能に連結されるとともに同各２つの板状体間にコイルスプリング２０７ｂを配して構成されている。
【００９３】
また、これらのフック２０６や挟み体２０７を備えた冷温具２００においては、冷温具２００における肌当て部２０３の向きを変更可能に構成することもできる。例えば、冷温具２００は、図２３（Ａ），（Ｂ）にそれぞれ示すように、挟み体２０７の先端部に本体部２０１を回転連結金具２０８を介して回転自在に取り付けることができる。これによれば、ユーザは、冷温具２００における挟み体２０７を飲料容器２１０の開口部２１３に挟んだ状態で本体部２０１を挟み体２０７に対して１８０°反転させることにより、肌当て部２０３を飲料容器２１０の側面部２１２に接触させた状態と飲料容器２１０の外側に向けた状態とを切り替えることができる。なお、図２３に示す挟み体２０７も前記図２２に示す挟み体２０７と同様に、２つの板状体がピン２０７ａを介して回動可能に連結されるとともに同各２つの板状体間にコイルスプリング２０７ｂを配して構成されている。
【００９４】
これにより、冷温具２００は、肌当て部２０３を飲料容器２１０の側面部２１２に接触させることにより肌当て部２０３を迅速に加温または冷却することができる。また、冷温具２００は、冷温具２００を飲料容器２００に取り付けた状態で施療部の加温または冷却を行うことができる。すなわち、この回転連結金具２０８が、本発明に係る可動部に相当する。また、冷温具２００は、上記第１実施形態のように本体部２０１の両面を容器接触部２０２兼肌当て部２０３とすることもできる。この場合、冷温具２００は、本体部２０１の両面において肌当て部２０３を互いに同一形状に形成することができるとともに、互いに異なる施療部を加温または冷却するために互いに異なる形状（例えば、一方を目の周囲とし他方を目の瞼とする）に形成して構成することもできる。
【００９５】
また、冷温具２００は、例えば、図２４（Ａ），（Ｂ）にそれぞれ示すように、挟み体２０７に対して本体部２０１を回動自在に取り付けることができる。これによれば、ユーザは、冷温具２００における挟み体２０７を飲料容器２１０の開口部２１３に挟んだ状態で本体部２０１を挟み体２０７に対して図示上側に１８０°回動させて起こすことにより、肌当て部２０３を飲料容器２１０の側面部２１２に接触させた状態から飲料容器２１０の外側に向けた状態に向きを変えることができる。
【００９６】
また、これらの場合、冷温具２００は、図２４（Ａ），（Ｂ）にそれぞれ示すように、挟み体２０７を一続きの板状体を屈曲させて弾性的に開閉するように構成、すなわちダブルクリップ型で構成した場合、飲料容器２１０内側の先端部を飲料容器２１０内の飲料Ｄに浸漬される程度まで延ばした浸漬部２０５（図２４（Ａ），（Ｂ）において図示せず）を備えるように構成することもできる。このように、本発明における取付部は、本第２実施形態における容器接触部２０２のようにマグネットシート、フック２０６または挟み体２０７で構成できるとともに、これ以外の構成、例えば、粘着性を有するシート体やゲル状体、伸縮性を有するリング状のバンド体、または飲料容器２００の側面部２１２上に巻き付けて結ぶ帯体や紐状体などで構成することができる。これらによれば、様々な材質（例えば、金属材、セラミック材、木材、樹脂材など）の飲料容器１２０に対して冷温具２００を取り付けることができる。
【００９７】
また、上記第２実施形態においては、冷温具２００は、飲料容器２１０に対して着脱自在に構成した。しかし、冷温具２００は、飲料容器２１０に対して着脱不能に構成することもできる。例えば、冷温具２００は、容器接触部２０２をマグネットシートで構成することに代えて本体部２０１の端面で構成する。これにより、冷温具２００は、磁力によって飲料容器２１０に貼り付けることができない構成となるが、ユーザは冷温具２００を把持して容器接触部２０２を飲料容器２１０の側面部２１２に自らが宛がうことにより冷温具２００を加温または冷却した後、肌当て部２０３を自らの施療部に宛がうことができる。
【００９８】
また、冷温具２００は、飲料容器２１０に対して固定的に取り付けるように構成することもできる。例えば、冷温具２００は、接着剤やビスなどの固定具を用いて着脱不能な状態で固定的に飲料容器２１０に取り付けるように構成することができる。この場合、ユーザは、冷温具２００が取り付けられた飲料容器２１０を把持して肌当て部２０３を施療部に宛がうことができる。
【００９９】
また、上記第２実施形態においては、冷温具２００は、肌当て部２０３がユーザの顔面における施療部に沿った形状に形成されて構成されている。この場合、冷温具２００は、樹脂材以外の材料、例えば、金属材、木材およびセラミック材などで構成することができることは上記第１実施形態と同様である。また、冷温具２００は、これらの材料に加えて、弾性変形可能な材料、例えば、シリコン材、ゴム材、スポンジ材および発泡スチロール材で構成することができるとともに、更には、弾性を有する固形状（すなわち、ゲル状）の材料（例えば、高含水性基剤）を用いて構成することができることも上記第１実施形態と同様である。
【０１００】
例えば、冷温具２００は、図２５に示すように、本体部２０１をゲル状の材料を用いてユーザの両目の周囲を覆うメガネ型に形成することができる。この場合、メガネ型に形成された本体部２０１の表裏面がそれぞれ容器接触部２０２および肌当て部２０３を構成する。また、冷温具２００は、ゲル状の材料を単純な形状（円形、楕円形、正方形、長方形など）に形成することにより、ユーザの顔面における幅広い箇所の形状に応じて変形させてこれらの各部分を加温または冷却することができる。
【０１０１】
また、冷温具２００は、図２６（Ａ），（Ｂ）にそれぞれ示すように、本体部２０１をユーザの顔面を覆うことができる形状の柔軟な布材や樹脂材からなるシート状に形成するとともに、この本体部２０１におけるユーザの施療部に対応する位置に本体部２０１より蓄熱効果が高い材料（例えば、セラミック材、木材、金属材など）からなる蓄熱体を埋め込んでまたは貼り付けて容器接触部２０２および肌当て部２０３を構成することができる。これによれば、ユーザは、シート状の本体部２０１を顔面上に貼り付けることにより複数の施療部を同時に加温または冷却することができる。なお、本体部２０１は、図２６（Ａ），（Ｂ）にそれぞれ示すように、ユーザの顔面における鼻背から鼻翼に掛けて線状に延びる逆Ｙ字状の折り目２０１ｃを形成しておくことにより、本体部２０１を鼻背から鼻翼に掛けて線状に折れやすくして肌当て部２０３を鼻の外表面をへの密着性を高めることができる。
【０１０２】
また、冷温具２００は、飲料容器２１０の外周部上に巻き付けることができる環状または帯状に形成することもできる。例えば、冷温具２００は、図２７に示すように、本体部２０１を帯状または筒状の布材を環状に形成するとともに帯状の布自体または筒状の布内に伸縮体（例えば、ゴム）と蓄熱材（図示せず）とを設けて伸縮するように構成することができる。この場合、冷温具２００は、少なくとも飲料容器２１０の側面部２１２の外径以下の内径に縮むように形成される。また、蓄熱材としては、綿、サクランボなどの植物の種子、小豆、発泡ビーズおよびゲル状の材料などを単体でまたはこれらを組み合わせて構成することができる。
【０１０３】
すなわち、冷温具２００は、環状に形成された本体部２０１における少なくとも内周面が容器接触部２０２および肌当て部２０３を構成する。そして、このように所謂シュシュ型に構成された冷温具２００を使用するに際しては、ユーザは、冷温具２００を飲料容器２１０の側面部２１２上に巻き付けて装着して加温または冷却した後、冷温具２００を側面部２１２上から取り外して施療部に宛がう。これにより、冷温具２００は、飲料容器２１０の側面部２１２の形状およびユーザの施療部の形状に沿って変形するため、幅広い形状の飲料容器２１０および施療部に対応することができる。また、ユーザは、冷温具２００が装着された飲料容器２１０を冷温具２００を介して把持することにより、熱せられたまたは冷却された飲料容器２１０を安心して把持することができる。
【０１０４】
また、冷温具２００は、例えば、図２８（Ａ），（Ｂ）、図２９（Ａ），（Ｂ）および図３０（Ａ），（Ｂ）にそれぞれ示すように、本体部２０１を帯状または筒状の布材で帯状に構成するとともに帯状の布自体または筒状の布内に前記蓄熱材を設けて構成することができる。この場合、帯状の本体部２０１には、冷温具２００を飲料容器２１０に装着するために本体部２０１の両端部分を互いに近接または連結するための固定体２０９を設ける。
【０１０５】
ここで、固定体２０９としては、本体部２０１の両端部分に互いの端部を着脱自在に連結するための、例えば、ボタン２０９ａと同ボタン２０９ａを引っ掛けるループ２０９ｂ、リボン２０９ｃ、互いに着脱自在な面ファスナ２０９ｄまたは磁石（図示せず）などを用いて構成することができる。また、固定体２０９としては、円弧状と直線状とを相互に弾性変形可能なワイヤ２０９ｅを本体部２０１の長手方向に沿って内蔵した状態で構成することもできる。
【０１０６】
すなわち、冷温具２００は、帯状に形成された本体部２０１における２つの表面（表裏面）のうち少なくとも一方が容器接触部２０２および肌当て部２０３を構成する。そして、このように構成された冷温具２００を使用するに際しては、ユーザは、冷温具２００を飲料容器２１０の側面部２１２上に巻き付けて固定体２０９によって固定して加温または冷却した後、冷温具２００を側面部２１２上から取り外して施療部に宛がう。これにより、冷温具２００は、飲料容器２１０の側面部２１２の形状およびユーザの施療部の形状に沿って変形するため、幅広い形状の飲料容器２１０および施療部に対応することができる。なお、ユーザは、冷温具２００を飲料容器２１０の側面部２１２上に巻き付けて固定体２０９によって固定して加温または冷却した後、冷温具２００を側面部２１２上に装着した状態のまま飲料容器２００を把持して肌当て部２０３を施療部に宛がうこともできる。
【０１０７】
また、冷温具２００は、本体部２０１を飲料容器２１０の一部に接触するようにしつつ全体として環状または帯状に形成することもできる。例えば、冷温具２００は、図３１（Ａ），（Ｂ）にそれぞれ示すように、本体部２０１を飲料容器２１０の側面部２１２に部分的に接触する形状に形成するととともに、この本体部２０１に環状または帯状の固定体２０９を設けて構成することができる。
【０１０８】
より具体的には、図３１（Ａ）に示す冷温具２００においては、ウサギの胴体を模した布製や樹脂製（例えば、塩化ビニル製）の本体部２０１の内部に前記蓄熱材が設けられるとともに、同本体部２０１の内側（腹側）面が容器接触部２０２および肌当て部２０３を構成する。そして、ウサギの四足を模した布材からなる帯状の４つの固定体２０９が本体部２０１から延びるとともに、各端部に互いに吸着する磁石２０９ｆが内蔵されている。
【０１０９】
また、図３１（Ｂ）に示す冷温具２００においては、ウサギの頭部を模した布製の本体部２０１の内部に前記蓄熱材が設けられるとともに、同本体部２０１の内側（顔の裏側）面が容器接触部２０２および肌当て部２０３を構成する。そして、冷温具２００は、伸縮性を有する帯状のゴムバンドを環状に構成した固定体２０９が本体部２０１に取り付けられて構成されている。なお、これらの冷温具２００における本体部２０１はウサギを模した形状に形成したが、ウサギ以外の動物、植物、人間、乗り物、建物、アニメキャラクタなどであってもよいことは当然である。
【０１１０】
また、上記第２実施形態においては、冷温具２００は、肌当て部２０３が飲料容器２１０の外側に位置するように構成した。しかし、冷温具２００は、肌当て部２０３が飲料容器２１０の内側に位置するように構成することもできる。例えば、冷温具２００は、図３２および図３３（Ａ）〜（Ｃ）にそれぞれ示すように、本体部２０１をコップ状の飲料容器２１０の開口部２１３上に引っ掛けられるフック２０６と、このフック２０６に対向して飲料容器２１０の内周面に接触する容器接触部２０１と、この容器接触部２０１から飲料容器２１０内の更に内側に張り出して形成された肌当て部２０３とで構成することができる。この場合、肌当て部２０３は、例えば、ユーザの鼻の外表面を覆う凹状に凹んだ形状に形成されている。
【０１１１】
このように構成された冷温具２００においては、ユーザは、冷温具２００を肌当て部２０３が飲料容器２１０の内側に位置するように開口部２１３上にフック２０６を介して引っ掛ける。これにより、冷温具２００は、肌当て部２０３が飲料容器２１０内の飲料Ｄによって空気を介して、または側面部２１２および容器接触部２０２を介して間接的に加温または冷却される。そして、冷温具２００は、ユーザが飲料容器２１０内の飲料Ｄを飲む際に肌当て部２０３がユーザの鼻の外表面に接して同部分を加温または冷却することができる。また、冷温具２００は、ユーザが飲料容器２１０内の飲料Ｄを飲む飲まないに関わらず、肌当て部２０３を鼻の外表面に宛がうことによって肌当て部２０３による加温または冷却に加えて飲料容器２１０内の飲料Ｄの熱気または冷気によって鼻を加温または冷却することができる。また、この図３３に示した冷温具２００においては、肌当て部２０３を飲料容器２１０の底部２１１側に延ばして飲料Ｄに浸漬する浸漬部２０５を形成することにより肌当て部２０３の熱交換効率を向上させることができる。
【０１１２】
また、上記第２実施形態においては、冷温具２００は、少なくとも飲料容器２１０を介して間接的に飲料Ｄとの間で熱交換されるように構成した。しかし、冷温具２００は、肌当て部２０３が飲料容器２１０内の飲料Ｄに対して飲料容器２１０を介することなく熱交換するように構成することもできる。例えば、冷温具２００は、図３４に示すように、本体部２０１を棒状に延びる容器接触部２０２と、この容器接触部２０２における一方の端部に形成された肌当て部２０３とで構成することができる。この場合、肌当て部２０３は、例えば、ユーザの目の周りに宛がう筒状に形成することができる。
【０１１３】
このように構成された冷温具２００においては、ユーザは、棒状に形成された容器接触部２０２を飲料容器２１０内に挿し入れて飲料Ｄに浸漬させる。これにより、冷温具２００は、飲料容器２１０内の飲料Ｄとの間で飲料容器２１０を介することなく効率よく加温または冷却される。また、ユーザは、容器接触部２０２を飲料Ｄ内で動かすことにより冷温具２００をマドラーとしても使用することができる。
【０１１４】
（第３実施形態）
（冷温具３００の構成）
次に、本発明に係る冷温具の一実施形態である第３実施形態について図面を参照しながら説明する。第３実施形態に係る冷温具３００は、図３５および図３６（Ａ），（Ｂ）にそれぞれ示すように、上記各実施形態における冷温具１１０，２００と同様に、ユーザ（図示せず）の目の周りに当てて目の周りの部分を施療部として加温または冷却するためのものであり、主として、互いに分離する容器接触体３１０と肌当て体３２０とで構成されている。
【０１１５】
これらのうち、容器接触体３１０は、後述する飲料容器３３０の開口部３３３上に被せられる蓋状の部品であり、例えば、シリコン樹脂などの樹脂材を飲料容器３３０の開口部３３３を覆うことができる大きさの円板状に形成して構成されている。なお、容器接触体３１０は、樹脂材に限られず他の材料（例えば、金属材、木材、セラミック材）で構成してもよいことは当然である。この容器接触体３１０は、飲料容器３３０に対向する側の面における周縁部が飲料容器３３０の開口部３３３上に載置される容器接触部３１１を構成している。また、容器接触体３１０における中央部には、貫通孔が形成されているとともにこの貫通孔に保持部３１２が固定的に嵌合している。
【０１１６】
保持部３１２は、肌当て体３２０が着脱自在に嵌合する有底の穴であり、上記第２実施形態における蓄熱体と同様に、容器接触体３１０よりも蓄熱効果が高い材料（例えば、セラミック材、木材、金属材など）からなる蓄熱体を有底筒体に形成して構成されている。なお、保持部３１２は、肌当て体３２０が着脱自在に嵌合する形状に形成されていればよいため凸状に形成することができるとともに、肌当て体３２０を留めることができれば貫通孔で形成されていてもよい。また、保持部３１２は、容器接触体３１０と同一材料によって一体的または別体で形成されていてもよい。
【０１１７】
肌当て体３２０は、ユーザの顔面の一部である施療部に宛がうことにより同施療部を加温または冷却する部品であり、樹脂材を施療部の形状に対応する形状に形成された肌当て部３２１を備えて構成されている。本実施形態においては、肌当て体３２０は、円板体における一方の表面にユーザの目の周りを包囲することができる大きさの円筒体の先端面に肌当て部３２１が形成されるとともに、他方の面に取っ手３２２が形成されて構成されている。なお、肌当て体３２０は、樹脂材に限られず他の材料（例えば、金属材、木材、セラミック材）で構成してもよいことは当然である。
【０１１８】
飲料容器３３０は、ユーザが飲む飲料Ｄを収容する容器であり、セラミック材や樹脂材などを有底筒状に形成して構成されている。すなわち、本第３実施形態においては、飲料容器３３０は、コップに取っ手が付いたカップである。この飲料容器３３０は、具体的には、円板状の底部３３１の周囲に側面部３３２が筒状に起立するとともに、同側面部３３２の図示上側の端部が常時開口した飲み口としての開口部３３３が形成されている。
【０１１９】
（冷温具３００の作動）
次に、このように構成した冷温具３００の作動について説明する。まず、ユーザは、容器接触体３１０と肌当て体３２０とで構成される冷温具３００および飲料容器３３０をそれぞれ用意する。次いで、ユーザは、飲料容器３３０内に温められた飲料Ｄまたは冷された飲料Ｄを注いだ後、飲料容器３３０における開口部３３３上に肌当て体３２０が嵌め込まれた容器接触体３１０を載置する。これにより、冷温具３００は、肌当て部３２１が飲料容器３３０内の飲料Ｄとの間で間接的に熱交換が行なわれて加温または冷却される。なお、ユーザは、飲料容器３３０内に飲料Ｄを収容するとともに飲料容器３３０の開口部３３３上に冷温具３００を載置した状態で、飲料容器３３０を電子レンジ内や冷蔵庫内に入れて飲料Ｄを加温または冷却することもできる。
【０１２０】
次に、ユーザは、顔面における施療部である目の周囲を加温または冷却する際には、飲料容器３３０の開口部３３３上に載置された容器接触体３１０上から肌当て体３２０を抜き出して肌当て部３２１を目の周囲に宛がう。これにより、冷温具３００は、ユーザの目の周りを加温または冷却することができる。
【０１２１】
そして、ユーザは、施療部の加温または冷却を終えた場合、または加温または冷却された肌当て部３２１の温度が低下または上昇した場合には、肌当て体３２０を容器接触体３１０の保持部３１２内に嵌合させる。これにより、ユーザは、再度、肌当て部３２１を加温または冷却することができる。また、ユーザは、容器接触体３１０を飲料容器３３０の開口部３３１上から取り去ることにより飲料容器２１０内の飲料Ｄを飲むことができるとともに、必要に応じて飲料Ｄを補充することができる。
【０１２２】
（変形例）
次に、第３実施形態における変形例について説明する。この各変形例の説明においては、上記第３実施形態と異なる部分について説明する。なお、各変形例の説明においては、上記第３実施形態と同様の部分については同じ符号を付している。
【０１２３】
例えば、上記第３実施形態においては、冷温具３００は、肌当て体３２０がユーザの目の周りを加温または冷却するように構成した。しかし、肌当て体３２０は、ユーザの顔面の一部を施療部として加温または冷却するように形成されていればよい。したがって、肌当て体３２０は、例えば、図３７に示すように、肌当て部３２１をユーザの鼻の外表面形状に対応した凹状に形成することもできる。この場合、容器接触体３１０における保持部３１２は、肌当て体３２０が着脱自在な凹状（肌当て体３２０を嵌め込む）または凸状（肌当て体３２０を被せる）の形状に形成されることは当然である。なお、図３７に示す冷温具３００において容器接触部３１１は、図において容器接触体３１０の裏面の周囲である。
【０１２４】
また、上記第３実施形態においては、冷温具３００は、容器接触体３１０を飲料容器３３０の開口部３３３を覆う蓋状に形成した。しかし、容器接触体３１０は、飲料容器３３０に装着することができれば、必ずしも蓋状に形成する必要はない。したがって、容器接触体３１０は、例えば、図３８に示すように、飲料容器３３０に巻き付けられるリング状に形成することができる。この場合、容器接触体３１０は、図２７〜図３１（Ａ），（Ｂ）にそれぞれ示すように、リング状や帯状に形成することができる。そして、この容器接触体３１０には、例えば、磁性を有する金属板からなる保持部３１２を取り付けておく。
【０１２５】
一方、肌当て体３２０は、図１３（Ａ）〜（Ｃ）に示した冷温具２００と全く同一に構成することができる。すなわち、肌当て体３２０は、樹脂製の有底筒体で構成されており、この有底筒体の底部側の外周端面に容器接触部２０２と同様の構成の保持部接触部３２３が形成されている。この場合、保持部接触部３２３は、保持部３１２に密着するように保持部３１２に対応する形状のマグネットシートで構成されて肌当て体３２０における底部側の外周端面に接着剤によって固定的に取り付けられている。また、肌当て体３２０における他方の端面である環状の先端部に肌当て部２０３に相当する肌当て部３２１が形成されて構成されている。肌当て部３２１は、肌当て部２０３と同様に、ユーザの目の周囲に宛がわれる部分であり、肌当て体３２０における保持部接触部３２３の反対側の表面に目の周囲を包囲する環状に形成されている。
【０１２６】
このように構成した図３８に示した冷温具３００によれば、ユーザは、飲料容器３３０の側面部３３２の外周部上に容器接触体３１０を巻き付けた状態で装着する。そして、ユーザは、肌当て体３２０における保持部接触部３２３を保持部３１２に磁力によって貼り付ける。これにより、肌当て体３２０は、飲料容器３３０内の飲料Ｄによって加温または冷却される。次いで、ユーザは、肌当て体３２０を把持して保持部３１２から外すことによって肌当て部３２１を施療部である目の周囲に宛がうことによりこの施療部を加温または冷却することができる。なお、この場合、ユーザは、肌当て体３２０を保持部３１２に吸着させたままの状態で飲料容器３３０を把持して肌当て部３２１を施療部に宛がうこともできる。
【０１２７】
なお、図３８に示した容器接触体３１０は、布材や樹脂材の他、飲料容器３３０の側面部３３２の外周面より小径でカール（湾曲）する弾性変形可能な金属材料（例えば、板状のバネ鋼）で構成することもできる。これによれば、容器接触体３１０は、ユーザによってカール形状が押し広げられることによって飲料容器３３０における側面部３３２に装着される。これによれば、容器接触体３１０は、容器接触体３１０が金属材料で構成されて保持部３１２を構成するため、構成を単純化することできる。この場合、容器接触体３１０は、容器接触体３１０全体を布材や樹脂材で覆うことにより錆や飲料容器３３０へのキズなどの損傷を抑制することができる。また、保持部３１２および保持部接触部３２３は、互いに着脱自在に取り付け可能な構成であれば磁力以外の方法、面ファスナ、粘着性を有するシート体やゲル状体などで構成することができる。
【０１２８】
また、上記第３実施形態においては、冷温具３００は、肌当て部３２１が容器接触体３１０の保持部３１２の内周面に接触するように構成した。しかし、冷温具３００は、肌当て部３２１が飲料容器３３０の外周面に接触するように構成することもできる。例えば、冷温具３００は、図３９（Ａ），（Ｂ）にそれぞれ示すように、容器接触体３１０を円板状に形成するとともに、この容器接触体３１０の表面に肌当て部３２１を外側に面一で露出させた状態で肌当て体３２０を嵌め込むことができる保持部３１２を形成して構成することができる。
【０１２９】
また、この場合、肌当て体３２０は、例えば、変形不能な剛体または柔軟に弾性変形可能な材料をユーザの目の周りを包囲することができる大きさの平板環状に形成することができる。このように構成された冷温具３００を使用する場合には、ユーザは、容器接触体３１０における保持部３１２内に肌当て体３２０を嵌合した容器接触体３１０上に飲料容器３２０を載置する。これにより、冷温具３００は、肌当て部３２１が飲料容器３３０の底部３３１に直接接触した状態で加温または冷却される。なお、図３９（Ａ），（Ｂ）においては、飲料容器３３０を二点鎖線で示している。
【０１３０】
すなわち、容器接触体３１０における保持部３１２が形成された表面（容器接触体３１０の上面）が容器接触部３１１を構成するとともに、肌当て体３２０における少なくとも一方の面が肌当て部３２１に相当する。そして、ユーザは、飲料容器３３０を冷温具３００上から取り去って容器接触体３１０上から肌当て体３２０を外して肌当て部３２１を施療部に宛がうことにより施療部を加温または冷却することができる。
【０１３１】
また、上記第３実施形態においては、冷温具３００は、肌当て体３２０を容器接触体３１０に対して飲料容器３３０の上下方向に着脱するように構成した。しかし、冷温具３００は、肌当て体３２０を容器接触体３１０に対して飲料容器３３０の水平方向に着脱するように構成することもできる。例えば、冷温具３００は、図４０に示すように、容器接触体３１０を飲料容器３３０の開口部３３３を覆うことができる大きさの円柱状に形成するとともに、この円柱部分内に同円柱部分の側面に開口した状態で保持部３１２を形成する。
【０１３２】
この場合、肌当て体３２０は、容器接触体３１０における保持部３１２内に出し入れ可能な形状に形成される。具体的には、肌当て体３２０は、肌当て部３２１がユーザの目の周りを包囲することができる大きさの平板環状に形成することができる。これによれば、冷温具３００は、肌当て体３２０が飲料容器３３０に対して水平方向に抜き挿しされるため、特に背丈が高い飲料容器３３０において肌当て体３２０の抜き挿し作業を容易にすることができる。
【０１３３】
なお、上記第１実施形態（変形例含む）ないし第３実施形態（変形例含む）における冷温具１１０，２００，３００の形状や材質は、相互に適用可能であることは当然である。また、冷温具１１０，２００，３００が加温または冷却する施療部についても目、目の周りおよび鼻に限られず、その他の部位であってよいことも当然である。また、飲料容器１２０，２１０，３３０についてもコップ型やカップ型に限られず、飲料を保持できる容器であれば他の形態であってもよいことは当然である。
【符号の説明】
【０１３４】
１００…冷温具付飲料容器、
１１０…冷温具、１１１…容器接触部、１１２…肌当て部、１１２ａ…突起、１１３…取っ手、１１４ａ…右側カバー体、１１４ｂ…左側カバー体、１１５…弾性体、１１６ａ…底板、１１６ｂ…筒体、
１２０…飲料容器、１２１…底部、１２２…側面部、１２３…開口部、１２４…収容部、１２５…容器側肌当て部、
２００…冷温具、２０１…本体部、２０１ａ…ベース部、２０１ｂ…壁部、２０１ｃ…折り目、２０２…容器接触部、２０３…肌当て部、２０４…蓄熱層、２０５…浸漬部、２０６…フック、２０７…挟み体、２０７ａ…ピン、２０７ｂ…コイルスプリング、２０８…回転連結体、２０９…固定体、２０９ａ…ボタン、２０９ｂ…ループ、２０９ｃ…リボン、２０９ｄ…面ファスナ、２０９ｅ…ワイヤ、２０９ｆ…磁石、
２１０…飲料容器、２１１…底部、２１２…側面部、２１３…開口部、
３００…冷温具、
３１０…容器接触体、３１１…容器接触部、３１２…保持部、
３２０…肌当て体、３２１…肌当て部、３２２…取っ手、３２３…保持部接触部、
３３０…飲料容器、３３１…底部、３３２…側面部、３３３…開口部。
【図１】
2015093114.tif 000003
【図２】
2015093114.tif 000004
【図３】
2015093114.tif 000005
【図４】
2015093114.tif 000006
【図５】
2015093114.tif 000007
【図６】
2015093114.tif 000008
【図７】
2015093114.tif 000009
【図８】
2015093114.tif 000010
【図９】
2015093114.tif 000011
【図１０】
2015093114.tif 000012
【図１１】
2015093114.tif 000013
【図１２】
2015093114.tif 000014
【図１３】
2015093114.tif 000015
【図１４】
2015093114.tif 000016
【図１５】
2015093114.tif 000017
【図１６】
2015093114.tif 000018
【図１７】
2015093114.tif 000019
【図１８】
2015093114.tif 000020
【図１９】
2015093114.tif 000021
【図２０】
2015093114.tif 000022
【図２１】
2015093114.tif 000023
【図２２】
2015093114.tif 000024
【図２３】
2015093114.tif 000025
【図２４】
2015093114.tif 000026
【図２５】
2015093114.tif 000027
【図２６】
2015093114.tif 000028
【図２７】
2015093114.tif 000029
【図２８】
2015093114.tif 000030
【図２９】
2015093114.tif 000031
【図３０】
2015093114.tif 000032
【図３１】
2015093114.tif 000033
【図３２】
2015093114.tif 000034
【図３３】
2015093114.tif 000035
【図３４】
2015093114.tif 000036
【図３５】
2015093114.tif 000037
【図３６】
2015093114.tif 000038
【図３７】
2015093114.tif 000039
【図３８】
2015093114.tif 000040
【図３９】
2015093114.tif 000041
【図４０】
2015093114.tif 000042